(57)【要約】  分岐したブレイド部材は、中央ブレイド部分と、中央ブレイド部分のどちらかの端部に１つまたは複数の伸張性ストランドまたは小さなブレイドを有する。分岐したブレイド部材は、靴のアッパーに組み込まれ得る。
2016503698.tif 000002
【特許請求の範囲】
【請求項１】
アッパー及びソール構造；
分岐したブレイド部材を形成する一群の伸張性ストランド；
第１の端部と第２の端部とを有する中央ブレイド部分をさらに備える前記分岐したブレイド部材；
を備えるフットウェア物品であって、
少なくとも２つの伸張性ストランドが、前記中央ブレイド部分の前記第１の端部から延在し、
前記分岐したブレイド部材は、前記アッパーに組み込まれることを特徴とするフットウェア物品。
【請求項２】
前記中央ブレイド部分は、前記アッパーの内側面からかかと領域を周って前記アッパーの外側面に延在することを特徴とする請求項１に記載のフットウェア物品。
【請求項３】
前記中央ブレイド部分の前記第１の端部における前記少なくとも２つの伸張性ストランドは、前記アッパーの前記外側面上に配置されることを特徴とする請求項１に記載のフットウェア物品。
【請求項４】
少なくとも２つの伸張性ストランドが、前記中央ブレイド部分の前記第２の端部から延在することを特徴とする請求項１に記載のフットウェア物品。
【請求項５】
前記少なくとも２つの伸張性ストランドの一方は、前記アッパーの経路に配置されることを特徴とする請求項１に記載のフットウェア物品。
【請求項６】
前記少なくとも２つの伸張性ストランドは、前記アッパーの対応する経路にそれぞれ配置されることを特徴とする請求項１に記載のフットウェア物品。
【請求項７】
前記少なくとも２つの伸張性ストランドは、第１の伸張性ストランド及び第２の伸張性ストランドを備え、かつ、前記第１の伸張性ストランド及び前記第２の伸張性ストランドは実質的に異なる材料特性を有するように構成されることを特徴とする請求項１に記載のフットウェア物品。
【請求項８】
前記第１の伸張性ストランドは、前記第２の伸張性ストランドの伸張よりかなり大きい伸張を有することを特徴とする請求項７に記載のフットウェア物品。
【請求項９】
前記少なくとも１つの伸張性ストランドの一部は、前記アッパーの外側に配置され、ループを形成することを特徴とする請求項１に記載のフットウェア物品。
【請求項１０】
靴ひもは、前記ループを通過して結ばれることを特徴とする請求項９に記載のフットウェア物品。
【請求項１１】
アッパー及びソール構造；
分岐したブレイド部材を形成する一群の伸張性ストランド；
第１の端部と第２の端部とを有する第１のブレイド部分をさらに備える前記分岐したブレイド部材；
を備えるフットウェア物品であって、
第２のブレイド部分が、前記第１の端部から延在し、かつ、前記第２のブレイド部分は、前記第１のブレイド部分よりかなり小さく、
少なくとも２つの伸張性ストランドが、前記第２のブレイド部分から延在し、
前記分岐したブレイド部材は、前記アッパーに組み込まれることを特徴とするフットウェア物品。
【請求項１２】
前記第２のブレイド部分は、前記少なくとも２つの伸張性ストランドを編むことによって形成されることを特徴とする請求項１１に記載のフットウェア物品。
【請求項１３】
前記第１のブレイド部分は、前記アッパーの外面上の１つまたは複数のループによって前記アッパーに取り付けられることを特徴とする請求項１１に記載のフットウェア物品。
【請求項１４】
前記第１のブレイド部分は、前記第１のブレイド部分を前記アッパーに縫合することによって前記アッパーに取り付けられることを特徴とする請求項１１に記載のフットウェア物品。
【請求項１５】
前記第１のブレイド部分は、第１の数の伸張性ストランドと関連し、前記第２のブレイド部分は、第２の数の伸張性ストランドと関連し、前記第１の数の伸張性ストランドは、前記第２の数の伸張性ストランドより多いことを特徴とする請求項１１に記載のフットウェア物品。
【請求項１６】
分岐したブレイド部材を形成する一群の伸張性ストランド；
第１の端部と第２の端部とを有する中央ブレイド部分をさらに備える前記分岐したブレイド部材；
を備えるフットウェア物品であって、
第１の伸張性ストランド及び第２の伸張性ストランドは、前記中央ブレイド部分の前記第１の端部から延在し、
前記第１の伸張性ストランドの一部は、アッパーに関連する経路に配置されることを特徴とするフットウェア物品。
【請求項１７】
前記第１の伸張性ストランド及び前記第２の伸張性ストランドは、前記アッパーの同一の経路に組み込まれることを特徴とする請求項１６に記載のフットウェア物品。
【請求項１８】
前記中央ブレイド部分は、平坦なブレイドであることを特徴とする請求項１６に記載のフットウェア物品。
【請求項１９】
前記中央ブレイド部分は、丸いブレイドであることを特徴とする請求項１６に記載のフットウェア物品。
【請求項２０】
前記第１の伸張性ストランドは、前記アッパーのレースと交差することを特徴とする請求項１６に記載のフットウェア物品。
【発明の詳細な説明】
【技術分野】
【０００１】
本願は、名称「Ｓｐａｃｅｒ  Ｔｅｘｔｉｌｅ  Ｍａｔｅｒｉａｌ  ｗｉｔｈ  Ｔｅｎｓｉｌｅ  Ｓｔｒａｎｄｓ  Ｈａｖｉｎｇ  Ｍｕｌｔｉｐｌｅ  Ｅｎｔｒｙ  ａｎｄ  Ｅｘｉｔ  Ｐｏｉｎｔｓ」で２０１３年１月１５日出願された米国特許出願公開第１３／７４１，４２８号明細書、名称「Ｓｐａｃｅｒ  Ｔｅｘｔｉｌｅ  Ｍａｔｅｒｉａｌ  ｗｉｔｈ  Ｔｅｎｓｉｌｅ  Ｓｔｒａｎｄｓ  ｉｎ  Ｎｏｎ−Ｌｉｎｅａｒ  Ａｒｒａｎｇｅｍｅｎｔｓ」で２０１３年１月１５日出願された米国特許出願公開１３／７４１，４３３明細書、名称「Ｓｐａｃｅｒ  Ｔｅｘｔｉｌｅ  Ｍａｔｅｒｉａｌ  ｗｉｔｈ  Ｓｔｒａｎｄｓ  ｔｈａｔ  Ｉｎｔｅｒｓｅｃｔ」で２０１３年１月１５日出願された米国特許出願公開１３／７４１，４３５明細書、及び、名称「Ｓｐａｃｅｒ  Ｔｅｘｔｉｌｅ  Ｍａｔｅｒｉａｌ  ｗｉｔｈ  Ｃｈａｎｎｅｌｓ  Ｈａｖｉｎｇ  Ｍｕｌｔｉｐｌｅ  Ｓｔｒａｎｄｓ」で２０１３年１月１５日出願された米国特許出願公開１３／７４１，４４０明細書の共同所有された出願に関連し、これらの全内容が参照によって本願に組み込まれる。
【背景技術】
【０００２】
フットウェア物品は、２つの主要素：アッパー及びソール構造を含む。アッパーは、多くの場合、複数の材料要素（例えば、織物、ポリマー・シート層、発泡体層、革、合成革）から形成される。共に縫い付けられ、または、接着剤で結合されて、履き心地のためにフットウェアの内部に空間を形成し、かつ、足を確実に受容する。より具体的には、アッパーは、足の内側と外側とに沿って足の甲とつま先領域とに亘って、かつ、足のかかと領域の周りに延在する構造を形成する。またアッパーは、フットウェアの適合性を調整し、かつ、アッパー内の空間への足の出し入れを可能にするレーシングシステムを組み入れ得る。さらに、アッパーは、フットウェアの調整性及び快適性を向上させる、締め紐システムの下に延在するタンを含み得、また、アッパーは、ヒール・カウンターを組み入れ得る。
【０００３】
アッパーを形成する様々な材料要素が、アッパーの異なる領域の特性をもたらす。例えば、織物要素は、通気性をもたらし、かつ、足からの水分を吸収し、発泡体層は、快適性をもたらし、革は、耐久性及び耐摩耗性をもたらす。材料要素の数が増えるほど、フットウェアの総質量も比例的に増え得る。材料要素の輸送、在庫、切削、結合に関連する時間及び費用もまた増える。さらに、切削及び縫合工程からの廃材は、アッパーに組み入れられる材料要素の数が増えるほど著しくたまる。さらに、より多くの数の材料要素を有する製品は、より少ない材料要素から形成される製品よりもリサイクルするのがより難しくなり得る。従って、材料要素の数を減らすことによって、フットウェアの質量と無駄を減らしつつ、製造効率及びリサイクル率を上げることができ得る。
【０００４】
ソール構造は、アッパーの下部に固定され、これにより、足と地面との間に位置する。例えば競技用フットウェアでは、ソール構造は、ミッドソールとアウトソールとを含む。ミッドソールは、歩行中、走行中、及び、他の移動性行動中の地面反力を減衰させる（すなわち、クッション性をもたらす）、ポリマー発泡体材料から形成され得る。また、ミッドソールは、例えば、さらに力を減衰させる、安定性を向上させる、または、足の動きに影響する、流体で満たされた中空体、プレート、減速体、または、他の要素を含み得る。アウトソールは、フットウェアの接地要素を形成し、通常、摩擦力をもたらすような模様付けを含む、耐久性かつ耐摩耗性ゴム材料から作られる。また、ソール構造は、フットウェアの快適性を向上するように、アッパー内、かつ、足の下面に近接して配置された中敷を含み得る。
【発明の概要】
【課題を解決するための手段】
【０００５】
一態様では、フットウェア物品は、アッパー、ソール構造、及び、分岐したブレイド部材を形成する一群の伸張性ストランドを含む。分岐したブレイド部材は、第１の端部と第２の端部とを有する中央ブレイド部分をさらに備え、少なくとも２つの伸張性ストランドが、中央ブレイド部分の第１の端部から延在し、分岐したブレイド部材は、アッパーに組み込まれる。
【０００６】
別の態様では、フットウェア物品は、アッパー、ソール構造、及び、分岐したブレイド部材を形成する一群の伸張性ストランドを含む。分岐したブレイド部材は、第１の端部と第２の端部とを有する中央ブレイド部分をさらに備える。第２のブレイド部分が、第１の端部から延在し、第２のブレイド部分は、第１のブレイド部分よりかなり小さい。少なくとも２つの伸張性ストランドが、第２のブレイド部分から延在する。分岐したブレイド部材は、アッパーに組み込まれる。
【０００７】
別の態様では、フットウェア物品は、分岐したブレイド部材を形成する一群の伸張性ストランドを含み、分岐したブレイド部材は、第１の端部と第２の端部とを有する中央ブレイド部分をさらに備える。第１の伸張性ストランド及び第２の伸張性ストランドは、中央ブレイド部分の第１の端部から延在する。第１の伸張性ストランドの一部は、アッパーに関連する経路に配置される。
【０００８】
実施形態の他のシステム、方法、特徴、及び、利点が、下記の図及び詳細な説明を確認すると当業者には明らかであろう。全てのこのような追加的なシステム、方法、特徴、及び、利点が、この詳細な説明及び発明の概要に含まれ、実施形態の範囲内にあり、かつ、下記の特許請求の範囲によって保護されることが意図される。
【０００９】
実施形態は、次の図及び説明を参照することでより深く理解できる。図における構成部品は、縮尺があっている必要はなく、代わりに、実施形態の原理を図示する上で強調されている。さらに、図において、異なる視点を通して同類の符号が対応する部品に付されている。
【図面の簡単な説明】
【００１０】
【図１】第１の端部でスレッドから編まれ、かつ、第２の端部で複数の伸張性のあるストランドに分岐し、ブレイド部分が略丸い、分岐したブレイド部材の実施形態の概略図を示す図である。
【図２】第１の端部でスレッドから編まれ、かつ、第２の端部で複数の伸張性のあるストランドに分岐し、ブレイド部分が略平坦な、分岐したブレイド部材の実施形態の概略図を示す図である。
【図３】両端で複数の伸張性のあるストランドに分岐するブレイド部分の実施形態の概略図を示す図である。
【図４】両端で複数の伸張性のあるストランドに分岐するブレイド部分の実施形態の概略図を示す図である。
【図５】張性のあるストランドとさらなるブレイド部分との組み合せに分岐するブレイド部分の実施形態の概略図を示す図である。
【図６】両端で複数のより小さなブレイドに分岐し、より小さなブレイドが複数の伸張性のあるストランドにさらに分岐する、ブレイド部分の実施形態の概略図を示す図である。
【図７】両端で複数の伸張性のあるストランドに分岐するブレイドの実施形態の概略図を示す図である。
【図８】並べて結合され、個々の伸張性のあるストランドに分離し、複数の箇所で集合する、複数の個々の伸張性のあるストランドの実施形態の概略図を示す図である。
【図９】複数の伸張性のあるストランドに分岐するブレイド部分を含むアッパーを有するフットウェア物品の概略図を示す図である。
【図１０】アッパー上のチャンネルが透視して示めされる、図９のフットウェア物品の概略図を示す図である。
【図１１】図９に示されるフットウェア物品の後面図である。
【図１２】複数の伸張性ストランドに張力がかけられた際の図９の物品の概略図である。
【図１３】複数の伸張性ストランドに分岐するブレイドを含むアッパーを有するフットウェア物品の実施形態の概略図である。
【図１４】アッパー及びソール構造が透視して示される、図１３のフットウェア物品の概略図である。
【図１５】図１３に示されるフットウェア物品の実施形態の後面図である。
【発明を実施するための形態】
【００１１】
図１は、分岐したブレイド部材１００の実施形態の概略図である。分岐したブレイド部材１００は、１つまたは複数のブレイド部分に編まれ得る複数の伸張性ストランドを備え得る。さらに詳細に下記に説明されるように、各分岐したブレイド部材は、よりこみ、編みこみ、或いは、結合する種々の異なるスレッド、ワイヤ、または、任意の別の概して細長い材料を結合することによって形成される種々の異なる構造を備え得る。ある実施形態では、例えば、分岐したブレイド部材１００は、１つまたは複数の伸張性ストランドに形成され得る複数のスレッドで構成され得る。これらの伸張性ストランドは、次いで、よりあわれる、編みこまれる、または、別の方法で一緒に結合され、１つまたは複数のブレイド部分を形成し得る。
【００１２】
図１の示す実施形態では、分岐したブレイド部材１００は、第１の伸張性ストランド１３０及び第２の伸張性ストランド１４０を備える。ある実施形態では、第１の伸張性ストランド１３０及び第２の伸張性ストランド１４０は、ブレイド部分１２０を形成するように共に編まれ得る。さらに、第１の伸張性ストランド１３０及び第２の伸張性ストランド１４０それぞれは、１つまたは複数のスレッドから形成され得る。例えば、第１の伸張性ストランド１３０は、第１群のスレッド１１０を組み合わせることによって形成され得る。同様に、第２の伸張性ストランド１４０は、第２群のスレッド１１２を組み合わせることによって形成され得る。参照のため、第１群のスレッド１１０の及び第２群のスレッド１１２は、複数のスレッド１１５として集合的に称され得る。
【００１３】
分岐したブレイド部材１００の分岐した構成は、１つの構造から分岐されたブレイド部材１００のサブ構造への構成材料の累進的な分岐として理解され得る。例えば、上述のように、分岐したブレイド部材１００は、ブレイド部分１２０を含む。ブレイド部分１２０は、第１の伸張性ストランド１３０及び第２の伸張性ストランド１４０が共に編まれた、分岐したブレイド部材１００の一部を備える。この実施形態では、ブレイド部分１２０は、第１の端部１５０及び第２の端部１５２を含み得る。分岐したブレイド部材１００の第１の分岐１６０は、第２の端部１５２で起こる。特に、第１の分岐１６０で、第１の伸張性ストランド１３０及び第２の伸張性ストランド１４０は、ブレイド部分１２０から離れるように別々に延在する。同様に、第１の分岐部分１６０で、第１の伸張性ストランド１３０及び第２の伸張性ストランド１４０は結合してブレイド部分１２０を形成している。
【００１４】
ある実施形態では、分岐したブレイド部材１００は、分岐点をさらに含み得る。ある実施形態では、第１の伸張性ストランド１３０及び第２の伸張性ストランド１４０それぞれは、各伸張性ストランドを備える複数の構成スレッドにさらに分岐し得る。一実施形態では、第１の伸張性ストランド１３０は、第１の端部１７０及び第２の端部１７２を含む。第１の端部１７０は、ブレイド部分１２０の第２の端部１５２と関連し得る。特に、ある実施形態では、第１群のスレッド１１０からのスレッドは、それぞれのスレッドとして第２の分岐部分１６２から延在し得る。同様に、第２の分岐部分１６２で、第１群のスレッド１１０は、結合して第１の伸張性ストランド１３０を形成している。同様に、第２の伸張性ストランド１４０は、第１の端部１７４及び第２の端部１７６を含み得る。第１の端部１７４は、ブレイド部分１２０の第２の端部１５２と関連し、第２の端部１７６は、第３の分岐部分１６４と関連し得る。特に、ある実施形態では、第２群のスレッド１１２からの個々のスレッドは、第３の分岐部分１６４から延在し得る。同様に、第３の分岐部分１６４で、第２群のスレッド１１２は結合して、第２の伸張性ストランド１４０を形成している。
【００１５】
ある実施形態では、ブレイド部分は、第１の分岐が伸張性ストランドに、それがさらにスレッドに分岐するのではなくて、個々のスレッドの直接分岐し得る。ある実施形態では、ブレイド部分１２０の第１の端部１５０は、第４の分岐部分１６６を含み得る。一実施形態では、第４の分岐部分１６６は、（第１群のスレッド１１０及び第２群のスレッド１１２で作られる）複数のスレッド１５５が個々のスレッドに分離するところである。
【００１６】
この例示的な実施形態では、ブレイド部分１２０は、上述のように、第１の伸張性ストランド１３０及び第２の伸張性ストランド１４０を共に編むことによって形成される。しかしながら、別の実施形態では、ブレイド部分１２０は、個々のスレッドから直接編まれ得ることが理解できるだろう。特に、ある実施形態では、一緒に編まれ得るが第１の伸張性ストランド１３０または第２の伸張性ストランド１４０のいずれにも直接一致しない種々のサブ構造に、個々のスレッドを構成することが可能である。
【００１７】
開示する伸張性ストランドは、任意の適切な材料から形成され得る。ある実施形態では、伸張性ストランドは、任意の概ね一次的材料から形成され得る。本願の開示事項に対して利用されるように、「一次的な材料」またはその同類物は、幅及び厚みよりかなり長い全長を有する、概ね細長い材料を示すことを意味する。ある実施形態では、各伸張性ストランドは、１つまたは複数のスレッド、或は、類似した概して一時的な材料をさらに備え得る。従って、伸張性ストランドに適切な材料は、種々のフィラメント、ファイバー、糸、スレッド、ケーブル、コード、または、ロープを含み得る。伸張性ストランドに適切な材料は、レイヨン、ナイロン、ポリエステル、シルク、コットン、カーボン、ガラス、アラミド（例えば、パラ系アラミド繊維及びメタ系アラミド繊維）、超高分子量ポリエチレン、液晶高分子、銅、アルミニウム、鋼、及び、これらの種類の材料の種々の組み合わせから形成される、または、含み得る。
【００１８】
ある実施形態では、伸張性ストランドは、フィラメント及び／または繊維から形成され得る。フィラメントは、限定されない長さを有し、伸張ストランドとして個々に利用され得る。繊維は、比較的短い長さを有し、通常、スピニングまたはよりこみ工程を介して適切な長さのストランドに製造される。伸張性ストランドに利用される個々のフィラメントは、単一の材料（すなわち、単一成分フィラメント）から、または、複合材料（すなわち、複合フィラメント）から形成され得る。同様に、異なるフィラメントが、異なる材料から形成され得る。例えば、伸張性ストランドとして利用される糸は、一般材料から形成され得、または、複数の異なる材料から形成され得るフィラメントを含み得る。同様のコンセプトが、スレッド、ケーブル、または、ロープにも適用される。
【００１９】
開示する分岐したブレイド部材は、複数の伸張性ストランドを含み得る。ある実施形態では、スペーサ織物材料は、複数の伸張性ストランドを含み、伸張性ストランドは、同一の材料から作られ得る。ある実施形態では、伸張性ストランドは、異なる材料作られ得る。伸張性ストランドが異なる材料から作られる際は、伸張性ストランドは、異なる特性を含み得る。例えば、第１の伸張性ストランドは、力がかかると伸びる。ある実施形態では、第２の伸張性ストランドは、第１の伸張性ストランドより少ししか伸びない。他の実施形態では、第２の伸張性ストランドは、第１の伸張性ストランドよりさらに伸び得る。
【００２０】
ある実施形態では、伸張性ストランドの厚みは、大きく変化してもよい。ある実施形態では、例えば、伸張性ストランドの厚みは、約０．０３ｍｍより薄いものから約５ｍｍより厚い範囲にあり得る。一次的材料は、略同一の幅及び厚みの断面（例えば、丸または四角の断面）を有することが多いだろうが、ある一次的材料は、厚みより大きい幅（例えば、長方形、楕円、または、他の細長い断面）を有し得る。より幅が大きくても、材料の長さが材料の幅及び厚みよりはるかに大きい場合は、材料は、一次的であると考慮され得る。
【００２１】
多数の伸張性ストランドを有するある実施形態では、各ストランドの厚みは同一であり得る。ある実施形態では、各伸張性ストランドの厚みは異なり得る。複数の伸張性ストランドの相対的な厚みは、所望の強度、弾性、製造考慮点、及び、可能性のある他の要因を含む様々な要因に従って選択され得る。
【００２２】
適切な伸張性ストランドの例は、以下の：名称「Ｍｅｔｈｏｄｓ  ｏｆ  Ｍａｎｕｆａｃｔｕｒｉｎｇ  Ａｒｔｉｃｌｅｓ  ｏｆ  Ｆｏｏｔｗｅａｒ  Ｗｉｔｈ  Ｔｅｎｓｉｌｅ  Ｓｔｒａｎｄ  Ｅｌｅｍｅｎｔｓ」で２０１２年２月２４日出願された米国特許出願番号１３／４０４，４８３号細書、名称「Ａｒｔｉｃｌｅｓ  ｏｆ  Ｆｏｏｔｗｅａｒ  Ｗｉｔｈ  Ｔｅｎｓｉｌｅ  Ｓｔｒａｎｄ  Ｅｌｅｍｅｎｔｓ」で２０１２年２月２４日に出願された米国特許出願番号１３／４０４，４４８、名称「Ｆｏｏｔｗｅａｒ  Ｉｎｃｏｒｐｏｒａｔｉｎｇ  Ａｎｇｌｅｄ  Ｔｅｎｓｉｌｅ  Ｓｔｒａｎｄ  Ｅｌｅｍｅｎｔｓ」で２０１０年７月３０日に出願された米国特許出願公開第２０１２／００２３７７８号明細書のいずれにも開示されており、これらの全体が参照によって本明細書に組み込まれる。
【００２３】
同様に、伸張性ストランドを作る個々のスレッド（または、他の一般的な一次的要素）は、伸張性ストランドを作るための上述の任意の材料から形成され得る。さらに、各伸張性ストランドの特性が変化して、変化する材料特性を有する複合材料を達成し得ると、単一の伸張性ストランドを備える各スレッドの特性も同様に変化され得る。特に、形状、サイズ、材料組成、及び、各スレッドの他の特性が変化し、複合的な材料特性を有する伸張性ストランドを形成し得る。
【００２４】
異なる実施形態では、複数のブレイド部分の形状は変化し得る。ある実施形態では、ブレイド部分は、略丸の断面形状を有し得る。他の実施形態では、ブレイド部分は、略平坦な形状を有し得る。言い換えると、ある実施形態では、ブレイド部分の幅と長さが、ブレイド部分の厚みよりかなり大きくてもよい。さらに、また別の実施形態では、ブレイド部分の断面形状を含む形状は、任意の別の様式において変化し得る。
【００２５】
略平坦なブレイド部分を有する、分岐したブレイド部材の例示的な構成が図２に示される。図２を参照すると、分岐したブレイド部材２００は、図１に示めされる上述の実施形態の分岐したブレイド部材１００と同様であり得る。特に、分岐したブレイド部材２００は、第１の伸張性ストランド２３０及び第２の伸張性ストランド２４０に分岐するブレイド部分２２０を有するように構成される。さらに、ブレイド部分２２０の両端部、第１の伸張性ストランド２３０、及び、第２の伸張性ストランド２４０それぞれは、本願において集合的に複数のスレッド２５０と称される、分離したスレッドにさらに分岐する。
【００２６】
図１に図示された略丸められたブレイド部分１２０に対して、ブレイド部分２２０は、略平坦に見える。具体的には、ブレイド部分２２０の厚みＴ１は、ブレイド部分２２０の幅Ｗ１及び長さＬ１よりかなり小さい。この平坦な形状は、ブレウド部分２２０が、フットウェア及び／またはアパレル物品の一部に対してより良好に固定される、或は、関連することを可能にし得る。
【００２７】
開示する図が、略平坦または丸い構造を備えるような、各分岐したブレイド部材のブレイド部分を示す一方で、分岐したブレイド部材の種々の部材が、任意の適切な形状であり得る。同様に、分岐したブレイド部材の構造は、任意の適切なサイズであり得る。種々の構造または部分のサイズ及び形状は、いくつかある要因の中で特に、分岐したブレイド部材の用途、分岐したブレイド部材を形成するように使用される材料、分岐したブレイド部材によって設けられる所望の支持、及び、分岐したブレイド部材が製造される方式による。分岐したブレイド部材の構造または部分に適切な形状のいくつかは、限定することなく、丸い形状、平坦な形状、正方形、長方形、三角形、楕円形、規則的な形状、非規則的な形状、及び、任意の他の形の種類を含む。
【００２８】
図３は、ブレイド部分の対向する両端で別々の伸張性ストランドに分離する分岐したブレイド部材３００のまた別の実施形態を図示する。図３を参照すると、分岐したブレイド部材３００は、第１の端部３３２及び第２の端部３３４を有するブレイド部分３３０を含む。ある実施形態では、多数の伸張性ストランドが、ブレイド部分３３０の両端から分岐し得る。より具体的には、第１の伸張性ストランド３２０、第２の伸張性ストランド３２２、及び、第３の伸張性ストランド
３２４が、ブレイド部分３３０の第１の端部３３２から分離し、延在し得る。同様に、第４の伸張性ストランド３４０、第５の伸張性ストランド３４２、及び、第６の伸張性ストランド３４４が、ブレイド部分３３０の第２の端部３３４から分離し、延在し得る。
【００２９】
ある実施形態では、第１の伸張性ストランド３２０、第２の伸張性ストランド３２２、及び、第３の伸張性ストランド３２４は、第４の伸張性ストランド３４０、第５の伸張性ストランド３４２、及び、第６の伸張性ストランド３４４とは実質的に異なる伸張性ストランドであり得る。しかしながら、別の実施形態では、ブレイド部分３３０のどちらの端部の伸張性ストランドも、同一の伸張性ストランドの一部であり得る。例えば、一実施形態では、第１の伸張性ストランド３２０及び第４の伸張性ストランド３４０は、同じ単一の伸張性ストランドに異なる部分を備え得る。同様に、第２の伸張性ストランド３２２及び第５の伸張性ストランド３４２は、同じ単一の伸張性ストランドに異なる部分を備え得る。さらに、第３の伸張性ストランド３２４及び第６の伸張性ストランド３４４は、同じ単一の伸張性ストランドに異なる部分を備え得る。このような実施形態では、３つの伸張性ストランドが第１の端部３３２で結合され、ブレイド部分３３０に亘って一緒に編まれる。これらの同じ３つの伸張性ストランドは、次いで、ブレイド部分３３０の第２の端部３３４で再び３つの別々の伸張性ストランドに分離する。
【００３０】
ある実施形態では、各伸張性ストランドは、別々のスレッドに分離し得る。より具体的には、第１の伸張性ストランド３２０は、第１群のスレッド３１０に分離し得る。同様に、第２の伸張性ストランド３２２は、第２群のスレッド３１２に分離し、第４の伸張性ストランド３４０は、第４群のスレッド３５０に分離し、第５の伸張性ストランド３４２は、第５群のスレッド３５２に分離し、かつ、第６の伸張性ストランド３４４は、第６群のスレッド３５４に分離し得る。第６の伸張性ストランド３４４は、全く異なる伸張性ストランドであり得る。第１の伸張性ストランド３２０、第２の伸張性ストランド３２２、及び、第３の伸張性ストランド３２４、第４の伸張性ストランド３４０、第５の伸張性ストランド３４２、及び、第６の伸張性ストランド３４４それぞれが異なる伸張性ストランドである実施形態では、スレッドの対応する群が、同様に異なるスレッドであり得る。しかしながら、例えば、第１の伸張性ストランド３２０及び第４の伸張性ストランド３４０が単一の伸張性ストランドの異なる部分である実施形態では、第１群のスレッド３１０及び第４群のスレッド３５０は、同様に、同じスレッドの集合の異なる部分を備え得る。
【００３１】
さらにスレッドに分岐する、各伸張性ストランドの両端を示し得る。しかしながら、各伸張性ストランドの両端は、任意の適切な方式で終端し得る。例えば、伸張性ストランドの両端は、両端がほつれない、または、伸張性ストランドの完全性が失われないように、結ばれる、縛られる、または、融合される。別の実施形態では、各伸張性ストランドの両端は、個々のスレッドにさらに分離され得る。次いで、個々のスレッドは、よう詳細に下記に説明されるような、フットウェア及び／またはアパレル物品に組み込まれ得る。
【００３２】
本願で説明される分岐したブレイドは、対称または非対称であり得る。図３の示される実施形態は、対称であり得る。具体的には、この実施形態は、ブレイド部分３３０の両側面上に延在する３つの伸張性ストランドを含む。別の実施形態では、分岐したブレイドは、ブレイド部分の各端部から分岐する同じ数の伸張性ストランドを有さなくてもよい。例えば、ブレイド部分の第１の端部は、２つの伸張性ストランドを含む一方で、第２の端部は、４つの伸張性ストランドを含み得る。このような実施形態では、分岐したブレイド部材は、非対称な構成を有するとみなされる。さらに、ブレイド部分の各端部は、任意の数の分岐（すなわち、伸張性ストランド、小さいブレイド部分、またはスレッド）を含有し得る。
【００３３】
ある実施形態では、分岐したブレイド部材のスレッドは、同じ材料で作られ得る。他の実施形態では、分岐したブレイド部材のスレッドは、異なる材料で作られ得る。さらに、ある実施形態では、分岐したブレイドの各伸張性ストランドは、同じ材料で作られ得る。また別の実施形態では、分岐したブレイドの各伸張性ストランドは、異なる材料で作られ得る。分岐したブレイド部材用に選択された材料は、フットウェア物品上の意図された用途及び／または位置に基づいて選択され得る。
【００３４】
ある実施形態では、１つまたは複数の伸張性ストランドは、力がかけられる祭により強く、かつ、より伸張耐性がある材料から形成され得る。別の実施形態では、１つまたは複数の伸張性ストランドは、力がかけられる際により容易に伸張する材料から形成され得る。またさらなる実施形態では、分岐したブレイド部材を形成するために使用される材料は、材料の組み合わせであり得る。分岐したブレイドの種々の部分を形成するために使用される各材料の強度及び／または伸張性は、いくつかある要因の中で特に、所望の伸張量または強度、並びにフットウェア物品上の位置による。
【００３５】
可能な例として、図３において、第１の伸張性ストランド３２０は、力がかけられる際に適度な伸張性をもたらす材料で作られる一方で、第１の伸張性ストランド３２２及び第３の伸張性ストランド３２４は、力がかけられる際に第１の伸張性ストランド３２０の材料より伸張しない材料で作られ得る。
【００３６】
ブレイド部分３３０は、第１の伸張性ストランド３２０、第２の伸張性ストランド３２２、第３の伸張性ストランド３２４、第４の伸張性ストランド３４０、第５の伸張性ストランド３４２、及び、第６の伸張性ストランド３４４の材料の組み合わせを有し得る。従って、ブレイド部分３３０の伸張は、異なる伸張性ストランドの異なる材料に伸張特性の集合であり得る。言い換えると、ブレイド部分３３０は、第１の伸張性ストランド３２０より伸張しないことがあり得る。しかしながら、ブレイド部分３３０は、第２の伸張性ストランド３２２及び第３の伸張性ストランド３２４より伸張し得る。従って、ブレイド部分３３０の伸張性は、ブレイド部分３３０を形成する伸張性ストランドまたはスレッドの伸張性の集合であり得る。
【００３７】
図４〜図７は、分岐したブレイド部材の様々な異なる構成を図示する。下記の構成は、単に例示的目的であって、まだ他の構成が可能であることが理解されるだろう。
【００３８】
図４は、分岐したブレイド部材４００の別の実施形態を図示する。図４を参照すると、分岐したブレイド部材４００は、第１のブレイド部分４４０から分岐する８つの伸張性ストランドを有するように構成され得る。第１のブレイド部分４４０は、一般的に、複数の伸張性ストランドを備え得る。ある実施形態では、第１のブレイド部分４４０の第１の端部４４２は、第１の伸張性ストランド４２０、第２の伸張性ストランド４２２、第３の伸張性ストランド４２４、及び、第４の伸張性ストランド４２６と関連し得る。同様に、第１のブレイド部分４４０の第２の端部４４４は、第５の伸張性ストランド４５０、第６の伸張性ストランド４５２、第７の伸張性ストランド４５４、及び、第８の伸張性ストランド４５６と関連し得る。図４に示す実施形態では、第１の伸張性ストランド４２０、第２の伸張性ストランド４２２、第３の伸張性ストランド４２４、第４の伸張性ストランド４２６、第５の伸張性ストランド４５０、第６の伸張性ストランド４５２、第７の伸張性ストランド４５４、及び、第８の伸張性ストランド４５６それぞれは、複数のスレッド４７０にさらに分岐し得る。
【００３９】
ある実施形態は、分岐したブレイド部材の１つまたは複数の部分に沿って伸張性強度を変化させるための設備を含み得る。ある実施形態では、分岐したブレイド部材は、異なる数の伸張性ストランドを備える多数のブレイド部分を含み得る。例えば、ある実施形態は、第１のブレイド部分と、第１のブレイド部分から分岐し得る第２のブレイド部分と、を含み得る。ある場合では、第２のブレイド部分は、第１のブレイド部分より数少ない伸張性ストランドを備え、これにより、第２のブレイド部分の伸張強度が第１のブレイド部分に対して変化することを可能にする。
【００４０】
分岐したブレイド部材４０１の構成は、図５に示すように、図４に示す分岐したブレイド部材４００の構成にかなり類似し得る。明確にする目的で、類似した符号が類似した部品に使用される。しかしながら、図５における構成では、分岐したブレイド部材４０１が、第１のブレイド部分４４０から分岐する追加的なブレイド部分を含み得る。具体的には、分岐したブレイド部材４０１は、第１のブレイド部分４４０の第１の端部４４２から分岐する第２のブレイド部分４３０と、第１のブレイド部分４４０の第２の端部４４４から分岐する第３のブレイド部分４６０と、を含む。この実施形態では、第２のブレイド部分４３０及び第３のブレイド部分４６０は、第１のブレイド部分４４０より小さなブレイドを備える。このことは、ある場合において、第１のブレイド部分４４０を形成するために使用される数より少ない数の伸張性ストランドを使用する第２のブレイド部分４３０及び第３のブレイド部分４４０を形成することによって達成され得る。一例として、ある実施形態では、第２のブレイド部分４３０及び第３のブレイド部分４４０は、それぞれ、共に編まれる２つの別々の伸張性ストランドを備え得る。例えば、ある実施形態では、第２のブレイド部分４３０は、図４に示される分岐したブレイド部材４００の第３の伸張性ストランド４２４及び第４の伸張性ストランド４２６を編むことによって形成され得る。同様に、ある実施形態では、第３のブレイド部分４６０は、分岐したブレイド部材４００の第７の伸張性ストランド４５４及び第８の伸張性ストランド４５６を編むことによって形成され得る（図４参照）。しかしながら、別の実施形態では、第２のブレイド部分４３０及び第３のブレイド部分４６０は、別の数の伸張性ストランドから、また、１つまたは複数のスレッドから直接形成され得る。
【００４１】
図５に示す実施形態では、第１の伸張性ストランド４２０、第２の伸張性ストランド４２２、第５の伸張性ストランド４５０、及び、第６の伸張性ストランド４５２それぞれは、複数のスレッド４７０にさらに分岐する。同様に、第２のブレイド部分４３０及び第３のブレイド部分４６０は、複数のスレッド４７０の個々のスレッドにそれぞれ分岐し得る。ある場合では、複数のスレッド４７０からの１つまたは複数のスレッドは、フットウェア及び／またはアパレル物品の一部に統合され得る。
【００４２】
別の実施形態では、いくつかのブレイド部分は、個々のスレッドに直接分岐するのではなく、個々の伸張性ストランドに分岐し得る。図６は、いくつかのブレイド部分がさらなるブレイド部分に分岐し、他のブレイド部分は個々の伸張性ストランドに分岐する、分岐したブレイド部材５００の１つの可能な実施形態を図示する。図６を参照すると、分岐したブレイド部材５００の中央ブレイド部分５４０は、複数の副ブレイド部分５１０に分岐し得る。複数の副ブレイド部分５１０は、第１の副ブレイド部分５３０、第２の副ブレイド部分５３２、第３の副ブレイド部分５３４、第４の副ブレイド部分５３６、第５の副ブレイド部分５５０、第６の副ブレイド部分５５２、第７の副ブレイド部分５５４、及び、第８の副ブレイド部分５５６を含む。この実施形態では、複数の副ブレイド部分５１０の各ブレイドは、少なくとも２つの伸張性ストランドを備え得る。
【００４３】
図６に示すように、いくつかのブレイド部分は、複数のスレッド５８０に直接分岐し得る。しかしながら、第１の副ブレイド部分５３０及び第５の副ブレイド部分５５０を含むいくつかのブレイド部分は、個々の伸張性ストランドにさらに別れ得る。具体的には、第１の副ブレイド部分５３０は、第１の伸張性ストランド５２０、第２の伸張性ストランド５２１、及び、第３の伸張性ストランド５２２にさらに分岐し得る。また、第５の副ブレイド部分５５０は、第４の伸張性ストランド５６０、第５の伸張性ストランド５６１、及び、第６の伸張性ストランド５６２にさらに分岐し得る。さらに、第１の伸張性ストランド５２０、第２の伸張性ストランド５２１、第３の伸張性ストランド５２２、第４の伸張性ストランド５６０、第７の伸張性ストランド５６１、及び、第６の伸張性ストランド５６２は、複数のスレッド５８０にさらに分岐し得る。
【００４４】
この構成を用いて、分岐したブレイド部材５００の異なる部分に沿った伸張性強度は、例えば、異なるサイズのブレイドを使用することによって調整可能である。同様に、各ブレイド部分は、所望の伸張強度に従って、追加的なブレイド部分、個々の伸張性ストランド、及び／または、個々のスレッドにさらに分岐され得る。追加的に、分岐したブレイド部材の異なる部分に沿って使用される構造のタイプは、分岐したブレイド部材５００を取り付ける異なる方法をフットウェア及び／またはアパレル物品に適合させるように選択され得る。
【００４５】
図６には、両端で４つの分岐に分岐する中央ブレイド部分を有する分岐したブレイドが示されるが、本願の分岐したブレイドは、中央ブレイド部分の両端部で４つの分岐より多く分岐し得る。図７に図示する実施形態で示されるように、分岐したブレイド７００の中央ブレイド部分７３０の各端部は、８つの伸張性ストランドを含み得る。中央ブレイド部分７３０の第１の端部７３２は、第１の伸張性ストランド７２０、第２の伸張性ストランド７２１、第３の伸張性ストランド７２２、第４の伸張性ストランド７２３、第５の伸張性ストランド７２４、第６の伸張性ストランド７２５、第７の伸張性ストランド７２６、及び、第８の伸張性ストランド７２７を含み得る。同様に、中央ブレイド部分７３０の第２の端部７３４は、第９の伸張性ストランド７４０、第１０の伸張性ストランド７４１、第１１の伸張性ストランド７４２、第１２の伸張性ストランド７４３、第１３の伸張性ストランド７４４、第１４の伸張性ストランド７４５、第１５の伸張性ストランド７４６、及び、第１６の伸張性ストランド７４７を含む、別の８つの伸張性ストランドを含み得る。上述のように、分岐したブレイドは、中央ブレイド部分の１つまたは複数の端部で任意の数の分岐を含み得る。
【００４６】
上述の、かつ、図１〜７に示される実施形態は、編まれた、または、よりこまれた部分を含む実施形態を図示する。別の実施形態では、よりこむまたは編みこむことなしに、１つまたは複数の伸張性ストランドが共に織られることが可能である。ある実施形態では、例えば、伸張性ストランドは、サイドバイサイド式で織られ得る。図８は、伸張性ストランドが横に織られて分岐した伸張性部材を形成する実施形態を図示する。
【００４７】
図８に示すように、分岐した伸張性部材８００は、第１の伸張性ストランド８２０及び第２の伸張性ストランド８２２を含み得る。第１の伸張性ストランド８２０及び第２の伸張性ストランド８２２は、所定部分で共に形成または結合され得る個々の伸張性ストランドであり得る。より具体的には、第１の伸張性ストランド８２０及び第２の伸張性ストランド８２２は、第１の結合部分８２６で結合され得る。第１の結合部分８２６は、第１の交差点８２４で始まり、第２の交差点８３０まで続き得る。
【００４８】
第１の伸張性ストランド８２０及び第２の伸張性ストランド８２２は、認定の適切な方法で第１の結合部分８２６で結合され得る。ある実施形態では、第１の伸張性ストランド８２０及び第２の伸張性ストランド８２２は、伸張性ストランドを共に融合させることによって第１の結合部分８２６で結合され得る。別の実施形態では、第１の伸張性ストランド８２０及び第２の伸張性ストランド８２２は、伸張性ストランドを共に絡めることによって第１の結合部分８２６で結合され得る。このような構成は図８に示される。伸張性ストランドが結合部分で共に編まれるこれらの実施形態では、ストランドは、ジャッカード織機または機械を使用することによって結合され得る。
【００４９】
さらに、第２の交差点で、第１の結合部分８２６は、個々の伸張性ストランドに分離し得る。個々の第１の伸張性ストランド８２０及び伸張性ストランド８２２は、異なる方向に分離してボイド８３２を形成し得る。ボイド８３２は、第２の交差点８３０と第３の交差点８３４との間に配置され得る。交差点８３４で、第１の伸張性ストランド８２０及び伸張性ストランド８２２は再び結合され得る。第１の伸張性ストランド８２０及び伸張性ストランド８２２を再び結合することにより、例えば、編むことによって第２の結合部分８３６が形成され得る。
【００５０】
伸張性ストランドは、任意の回数結合されて、任意の数の結合部分を形成し得る。分岐した伸張性部材内の結合部分の数は、いくつかある要因の中で特に、伸張性部材の目的、フットウェア及び／またはアパレル物品上の分岐した伸張性部材の箇所、及び、物品上の特定の箇所の所望の支持による。
【００５１】
図８に示す実施形態もまた、フットウェア物品のアッパーに組み込まれ得る。図８の実施形態の結合部分は、上述の図１〜図７に示される実施形態のブレイド部分と同じ方法でアッパーの任意の部分に配置され得る。
【００５２】
上述のように、分岐したブレイド部材（及び他の種類の分岐した伸張性部材）は、フットウェア物品とアパレル物品との両方を含む、種々の種類の物品に組み込まれ得る。図９〜図１５は、フットウェア物品に組み込まれ得る分岐したブレイド部材の様々な実施形態を図示する。図には、フットウェア物品の例示的な実施形態を示されるが、分岐したブレイド部材（及び、他の種類の分岐した伸張部材）が、任意の別の種類のフットウェア、並びに、他の種類のアパレル及び／またはスポーツ用品に組み込まれ得ることが理解されるだろう。分岐したブレイド部材は、ハイキングブーツ、サッカーシューズ、フットボールシューズ、スニーカー、クロストレーニングシューズ、ラグビーシューズ、バスケットボールシューズ、野球シューズ、及び、他の種類の靴を限定することなく含む、様々な種類の物品で使用され得る。さらに、ある実施形態では、分岐したブレイド部材は、スリッパ、サンダル、ハイヒールフットウェア、ローファー、並びに、任意のその他の種類のフットウェア、アパレル、及び／またはスポーツ用品（例えば、グローブ、ヘルメット等）を限定することなく含む、様々な種類のスポーツシューズ以外のフットウェアで使用されるように構成され得る。
【００５３】
図９〜図１１は、分岐したブレイド部材９３２を組み入れるフットウェア物品９００の実施形態の概略図を図示する。具体的には、図９及び図１０は、分岐したブレイド部材９３２を有する物品９００の実施形態の概略側面図を示し、図１１は、分岐したブレイド部材９３２を有する物品９００に概略後面図を示す。図９〜図１１を参照すると、フットウェア物品９００は、単一の構造体９２０とアッパー９１０とを含み得る。便宜的に、フットウェア物品９００は、単純に物品９００とも称される。
【００５４】
一般的に、アッパー９１０は、任意のタイプのアッパーであり得る。具体的には、アッパー９１０は、任意のデザイン、形状、サイズ、及び／または色を有し得る。例えば、物品９００がバスケットボールシューズである実施形態では、アッパー９１０は、足首への高いサポート性をもたらすように形状化されたハイトップのアッパーであり得る。物品９００がランニングシューズである実施形態では、アッパー９１０は、ロートップのアッパーであり得る。また別の実施形態では、アッパー９１０は、任意の鉾あの形状及び／またはデザインを有し、かつ、レース、ストラップ、ヒール・カウンター、タン、及び、アッパーと共に使用される他の設備などの任意の設備及び特徴をさらに含み得る。ある実施形態では、ソール構造９２０は、物品９００に摩擦力をもたらすように構成され得る。摩擦力をもたらすことに加えて、歩行中、走行中、及び、他の移動性行動中に足と地面との間で圧縮される際に、ソール構造９２０は地面反力を減衰させ得る。ソール構造９２０の構成は、異なる実施形態で大きく異なり、様々な従来のまたはそうでない構造を含み得る。ある場合では、ソール構造９２０の構成は、ソール構造９２０が使用される、１つまたは複数の地面のタイプに従って構成され得る。地面の例は、天然芝、人工芝、ダート、及び他の表面を限定することなく含む。
【００５５】
ソール構造９２０は、アッパー９１０に固定され、物品９００が着用される際の足と地面との間に延在する。異なる実施形態では、ソール構造９２０は、異なる構成部品を含み得る。例えば、ソール構造９２０は、アウトソール、ミッドソール、及び／またはインソールを含み得る。ある場合では、１つまたは複数のこれらの構成部品はオプションであり得る。
【００５６】
図９を参照すると、参照目的のために、物品９００は、前足部分９１１、中足部分９１２、及び、かかと部分９３０に分けられている。前足部分９１１は、つま先と、指骨と中足骨を連結する関節とに主に関連し得る。中足部分９１２は、土踏まずに主に関連し得る。同様に、かかと部分９３０は、踵骨を含むかかとに主に関連し得る。また、物品９１１は、外側面９１６と内側面９１８とを含み得る（図１１参照）。具体的には、外側面９１６と内側面９１８とは物品９００の両側面であり得る。
【００５７】
前足部分９１１、中足部分９１２、及び、かかと部分９３０は、説明目的を意図するのみであり、物品９００の正確な領域の境界を定めることは意図されるものではない。同様に、外側面９１６及び内側面９１８は、物品９３０２つの半分体に正確に境界を定めるものではなく、物品の２つの側面を概ね指し示すことを意図するものである。また、前足部分９１１、中足部分９１２、及び、かかと部分９３０、並びに、外側面９１６及び内側面９１８は、ソール構造及び／またはアッパーなどの、物品の個々の構成部品を説明する上でも使用され得る。
【００５８】
再び図９〜図１１を参照すると、ある実施形態では、分岐したブレイド部材９３２は、中央ブレイド部分９４０を備え得る。追加的に、第１の伸張性ストランド９４１及び第２の伸張性ストランド９４２は、中央ブレイド部分９４０の第１の端部９９０から分岐し得る。また、第３の伸張性ストランド９６１及び第４の伸張性ストランド９６２が、中央ブレイド部分９４０の第２の端部９９２から分岐し得る。
【００５９】
概ね、分岐したブレイド部材は、物品の任意の部分に組み込まれ得る。ある実施形態では、分岐したブレイド部材は、アッパーに組み込まれ得る。他の実施形態では、分岐したブレイド部材は、ソール構造に組み込まれ得る。また別の実施形態では、分岐したブレイド部材は、アッパーの一部とソール構造の一部とに組み込まれ得る。例示的な実施形態では、分岐したブレイド部材９３２は、１つまたは複数の伸張性ストランドのある部分がソール構造９２０まで延在する状態で、アッパー９１０の一部に概ね組み込まれ得る。
【００６０】
ある実施形態では、中央ブレイド部分９４０は、物品９００のアッパー９１０のかかと領域９３０の辺りに位置し得る。第１の伸張性ストランド９４１及び第２の伸張性ストランド９４２が、アッパー９１０の外側面９１６上にさらに位置し得る。さらに、対応する伸張性ストランド９６１及び伸張性ストランド９６２（図１１参照）は、アッパー９１０の内側面９１８上に位置し得る。
【００６１】
別の実施形態では、中央ブレイド部分は、かかと領域ではなく別の箇所に位置し得る。例えば、分岐したブレイド部材の中央ブレイド部分は、アッパーのインステップ部分上に位置し得る。さらなる実施形態では、分岐したブレイド部材の中央ブレイド部分は、アッパーのつま先部分上に位置し得る。アッパーの中足領域または前足領域に位置する、分岐したブレイド部材の伸張性ストランドは、アッパーの内側面及び／または外側面上に位置し得る。
【００６２】
ある実施形態では、アッパー９１０は、伸張性ストランドを受容するための１つまたは複数の経路を含み得る。ある実施形態では、アッパー９１０は、第１の経路９８０、第２の経路９８２、第３の経路９８４、及び第４の経路９８６、並びに、他の経路を含み得る、複数の経路９７９を含み得る。
【００６３】
アッパー９１０の経路９１０は、任意の適切な方法で形成され得る。ある実施形態では、経路は、図１１〜図１５に示される実施形態において図示されるようなアッパー９１０の部分間の間隙であり得、下記に詳細に説明する。他の実施形態では、経路は、２つの層の一部溶接部に沿って結合される、超音波溶接など高周波溶接法を介して形成され得、これにより、溶接部間に経路を形成する。また別の溶接法が可能であり、例えば、高周波溶接法を含み得る。ある実施形態では、高周波溶接法が、ホットメルトと併用し手使用され、経路を生成する。ある実施形態では、熱可塑性ポリウレタン樹脂（ＴＰＵ）が、例えば外層としてフットウェア物品に組み込まれ、次いで、この外層が任意の種類の溶接法を使って溶接し得る。さらに、実施形態は、溶接によって形成される経路に限定されず、他の実施形態では、経路は、限定することなく、縫合、接着、ステープル、及び、スペーサ織物材料の対向する層を含む、材料を結合するために業界では既知の他の方法などの任意の他の方法を使用して形成され得る。
【００６４】
例示的な溶接法は、その全体が参照によって本明細書に組み込まれる、名称「Ｓｐａｃｅｒ  Ｔｅｘｔｉｌｅ  Ｍａｔｅｒｉａｌ  ｗｉｔｈ  Ｔｅｎｓｉｌｅ  Ｓｔｒａｎｄｓ  Ｈａｖｉｎｇ  Ｍｕｌｔｉｐｌｅ  Ｅｎｔｒｙ  ａｎｄ  Ｅｘｉｔ  Ｐｏｉｎｔｓ」で２０１３年１月１５日出願された米国特許出願公開第１３／７４１，４２８号明細書に開示されている。
【００６５】
中央ブレイド部分９４０は、任意の適切な方式でアッパー９１０に組み込まれ得る。ある実施形態では、中央ブレイド部分９４０は、アッパー９１０に取り付けられるループ（図示せず）によってアッパー９１０に取り付けられる。他の実施形態では、中央ブレイド部分９４０は、縫合を介してアッパー９１０に取り付けられる。さらなる実施形態では、中央ブレイド部分９４０は、アッパー９１０に取り付けられなくてもよい。言い換えると、中央ブレイド部分９４０は、アッパー９１０周囲を自由に移動し得る。
【００６６】
上述のように、中央ブレイド部分９４０は、２つ以上の伸張性ストランドに分岐し得る。具板的には、第１の伸張性ストランド９４１及び第２の伸張性ストランド９４２並びに第３の伸張性ストランド９６１及び第４の伸張性ストランド９６２は、中央ブレイド部分９４０から分岐し得る。各伸張性ストランドは、さらに、アッパー９１０に組み込まれ得る。各引張性ストランドは、アッパー９１０の上または中において外側または内側に配置され得る。
【００６７】
ある実施形態では、第１の伸張性ストランド９４１のある部分が、アッパー９１０上の１つまたは複数の経路内に配置され得る。ある実施形態では、第１の伸張性ストランド９４１の第１の部分９４３は、第３の経路９８４内に配置され、第１の伸張性ストランド９４１の第３の部分９４９は、第４の経路９８６内に配置され、また、第１の伸張性ストランド９４１の第２の部分９４７は、第３の経路９８４と第４の経路９８６との間においてアッパー９１０上で外に延在し得る。
【００６８】
ある実施形態では、第２の伸張性ストランド９４２のある部分が、アッパー９１０上の１つまたは複数の経路内に配置され得る。ある実施形態では、第２の伸張性ストランド９４２の第１の部分９４４は、第１の経路９８０内に配置され、第２の伸張性ストランド９４２の第３の部分９４６は、第２の経路９８２内に配置され、また、第２の伸張性ストランド９４２の第２の部分９４５は、第１の経路９８０と第２の経路９８２との間においてアッパー９１０上で外に延在し得る。
【００６９】
ある実施形態では、第１の伸張性ストランド９４１の第２の部分９４７と第２の伸張性ストランド９４２の第２の部分９４５とが、レースなどの固定具を受容するように構成され得る、アッパー９１０上にループを形成し得る。
【００７０】
ソール構造９２０に近接して配置される各伸張性ストランドの端部は図示されないが、各伸張性ストランドの端部は、任意の適切な方式で終端し得る。ある実施形態では、各伸張性ストランドは、例えば、アッパー９１０の下部分または縁に沿ってアッパー９１０で終端し得る。ある実施形態では、アッパー９１０と複数の伸張性ストランド９７９の端部は、シュトローベル・ラストで終端し得る。他の実施形態では、アッパー９１０と各伸張性ストランドの端部とは、スリップまたは中央で縫合されたラストで終端し得る。さらなる実施形態では、アッパー９１０と各伸張性ストランドの端部とは、各伸張性ストランドの端部をラスティングボードに結合することによって終端し得る。またさらなる実施形態では、アッパー９１０及び／または各伸張性ストランドは、ソール構造９２０に組み込まれ得る。
【００７１】
図１２は、第１の伸張性ストランド９４１及び第２の伸張性ストランド９４２に（例えば、レースによって）張力がかけられた状態での物品９００の概略図を示す。図示しないが、この状態は、第３の伸張性ストランド９６１及び第４の伸張性ストランド９６２に同量の張力かけられている状態に関連していることが理解されるだろう。分岐したブレイド部材９３２のこの構成を使用して、第１の伸張性ストランド９４１のだ２の部分９４７と第２の伸張性ストランド９４２の第２の部分９４５とにかけられる張力は、ブレイド部分９４０に張力をかける傾向にある。具体的には、図１２でわかるように、この張力は、通常、ブレイド部分９４０が初期位置９９５から内側にアッパー９１０の後端部９９３を押圧する結果になる。従って、使用者が第１の伸張性ストランド９４１及び第２の伸張性ストランド９４２（並びに第３の伸張性ストランド９６１及び第４の伸張性ストランド９６２）にレースまたは他の手段で張力をかけると、アッパー９１０のかかと部分９３０がかかとに対してきつくなり、物品９００を足により良好に固定し得る。
【００７２】
上述のように、分岐したブレイドの一部は、アッパーの経路に組み込まれ得る。ある実施形態では、経路は、アッパーの種々の構成部補インによって形成される間隙または空間であり得る。例えば、靴のアッパーは、スペーサ織物材料から形成され得る。スペーサ織物材料は、第１の層と、第１の層と少なくとも部分的に同一の広がりを有する第２の層とを含み得る。さらに、スペーサ織物材料は、第１の層と第２の層との間に延在し、第１の層と第２の層を結合する複数の連結部材を有し得る。
【００７３】
スペーサ織物材料及びスペーサ織物材料を製造する方法の例は、次のいずれかに開示される。参照によってその全てが組み込まれる、
【００７４】
図１３〜図１５は、フットウェア物品１１００の分岐したブレイド部材１１４０のまた別の可能な構成を図示しる。先ず図１３を参照すると、図１３に図示される物品１１００の実施形態は、アッパー１１１０を含み得る。ある実施形態では、アッパー１１１０は、スペーサ織物材料から形成され得る。アッパー１１１０は、経路、または、スペーサ織物材料の構成部品の間に刑し得される間隙を含み得る。さらに、物品１１００は、ソール構造１１２０を含み得る。
【００７５】
上述の構成部品に加えて、物品１１００は、分岐したブレイド部材１１４０を含み得る。分岐したブレイド部材１１４０は、中央ブレイド部分１１３２、第１の伸張性ストランド１１４２、第２の伸張性ストランド１１４４、及び、場合により他の伸張性ストランドを含み得る。分岐したブレイド１１４０は、物品１１００のアッパー１１１０に組み込まれ得る。中央ブレイド部分１１３２は、アッパー１１１０の内側面からかかと領域１１３０を周ってアッパー１１１０の外側面に配置され得る。
【００７６】
中央ブレイド部分１１３２は、任意の適切な手段でアッパー１１１０に組み込まれ得る。ある実施形態では、中央ブレイド部分１１４０は、第１のループ１１８０、第２のループ１１８２、第３のループ１１８４、第４のループ１１８６、及び、場合によってアッパー１１１０の内側面上の他のループを含む、１つまたは複数のループによって物品１１００に取り付けられ得る。他の実施形態では、中央ブレイド部分１１４０は、アッパー１１１０に取り付けられなくてもよい。言い換えると、中央ブレイド部分１１４０は、アッパー１１１０周囲を自由に移動し得る。
【００７７】
上述のように、中央ブレイド部分１１４０は、２つ以上の伸張性ストランドに分岐し得る。ある実施形態では、第１の伸張性ストランド１１４２及び第２の伸張性ストランド１１４４は、中央ブレイド部分１１３２から分岐し得る。さらに、各伸張性ストランドは、アッパー１１１０に組み込まれ得る。
【００７８】
ある実施形態では、第１の伸張性ストランド１１４２は、中央ブレイド部分１１３２から分岐する。ある実施形態では、第１の伸張性ストランド１１４２は、中央ブレイド部分１１３２から第１のループ１１８０を通過してレース１１８０まで延在し、次いでかかと構造１１２０まで戻るように延在し得る。具体的には、ある実施形態では、第１の伸張性ストランド１１４２の大部分がアッパー１１１０の外側に残り得る。
【００７９】
ある実施形態では、第２の伸張性ストランド１１４４は、中央ブレイド部分１１３２から第１のループ１１８０を通過してアッパー１１１０の外面上の第１の開口１１３３に延在する。第１の開口１１３３から、第２の伸張性ストランド１１４４の一部１１４６は、アッパー１１１０内で、第２の伸張性ストランド１１４４がアッパー１１１０から出得る点である第２の開口１１７０に延在する。第２の開口１１７０で、第２の伸張性ストランド１１４４の一部１１６２がレース１１８０を潜り抜け第３の開口１１７２内に戻る。第２の伸張性ストランド１１４４の一部１１４８は、第３の開口１１７２からソール構造１１２０にアッパー１１１０内で延在し得る。
【００８０】
ある実施形態では、中央ブレイド部分１１３２に連結されない第３の伸張性ストランド１１６４がアッパー１１１０内を延在し得る。具体的には、第３の伸張性ストランド１１６４は、ソール構造１１２０から、第５の開口１１７４を通過し、第６の開口１１７６を通過してアッパー１１１０内に潜り戻る。ある場合では、第３の伸張性ストランド１１６４は、レース１１８０と係合するループも形成し得る。
【００８１】
この構成を有すると、使用者が第１の伸張性ストランド１１４２及び第２の伸張性ストランド１１４４に張力をかける際に、中央ブレイド部分１１３２は、アッパー１１１０のかかと部分１１３０に対して張りつめて引っ張られ、これにより、かかとで足に対してアッパー１１１０をよりきつく引っ張る。さらに、中央ブレイド部分１１３２にかけられる張力の方向及び強度は、種々のループ（例えば、第１のループ１１８０、第２のループ１１８２、第３のループ１１８４、及び第４のループ１１８６）に使用に応じて変えられ、中央ブレイド部分１８４の位置及び配向と、第１の伸張性ストランド１１４２及び第２の伸張性ストランド１１４４の位置を調整し得る。
【００８２】
通常、これらの原理は、着用され得る任意の物品に応用され得る。ある実施形態では、物品は、動くように構成された、１つまたは複数の関節部分を含み得る。他の場合では、物品は、３次元的に着用者の一部に合うように構成され得る。着用されるように構成された物品の例は、限定することなく、フットウェア、グローブ、シャツ、パンツ、靴下、スカーフ、防止、ジャケット、及び、他の物品を含む。物品の他の例は、限定することなく、すね当て、膝パッド、肘パッド、肩パッド及び他のタイプの保護用品などの保護用品を含む。さらに、ある実施形態では、物品は、限定することなく、バッグ、パース、バッグパック、及び、他の着用され得る、または着用されなくてもよい物品を含む他のタイプの物品であり得る。またさらには、物品は、バット、ボール（例えば、ゴルフボール、バスケットボール、ベースボール、フットボール、テニスボール、及び、他の種類のボール）、パック、ホッケースティック、ラケット、ゴルフクラブ、及び、他の種類のスポーツ用品などのスポーツ用品の物品であり得る。
【００８３】
様々の実施形態が説明されてきたが、この説明は、限定するものではなく、例示的な意味であり、より多くの実施形態及び実施が可能であることが当業者には明らかであろう。従って、実施形態は、添付する請求項及びその同義に照らしてのみ限定されるべきである。また、様々な改良及び変更が添付する特許請求の範囲内で可能である。
【００８４】
上述の、図８に例として示される分岐した伸張性部材は、フットウェア及び／またはアパレル物品に同様に組む込まれ得ることがさらに理解されるだろう。
【符号の説明】
【００８５】
１００  分岐したブレイド部材
１１０  第１群のスレッド
１１２  第２群のスレッド
１１５  複数のスレッド
１２０  ブレイド部分
１３０  第１の伸張性ストランド
１４０  第２の伸張性ストランド
１５０  第１の端部
１５２  第２の端部
１６０  第１の分岐
１６４  第３の分岐部分
１６６  第４の分岐部分
１７０  第１の端部
１７２  第２の端部
１７４  第１の端部
１７６  第２の端部
【図１】
2016503698.tif 000003
【図２】
2016503698.tif 000004
【図３】
2016503698.tif 000005
【図４】
2016503698.tif 000006
【図５】
2016503698.tif 000007
【図６】
2016503698.tif 000008
【図７】
2016503698.tif 000009
【図８】
2016503698.tif 000010
【図９】
2016503698.tif 000011
【図１０】
2016503698.tif 000012
【図１１】
2016503698.tif 000013
【図１２】
2016503698.tif 000014
【図１３】
2016503698.tif 000015
【図１４】
2016503698.tif 000016
【図１５】
2016503698.tif 000017
【国際調査報告】
2016503698.tif 000018
2016503698.tif 000019
2016503698.tif 000020
2016503698.tif 000021